(57)【要約】【課題】屎尿の有効利用を安価に実現するとともに、植物を安定して育成する。【解決手段】このユニットトイレは、人が屎尿を排泄するためのトイレブース４と、植物６ａが栽培されている植物ブース６とが同一の建築物内に形成されている。植物ブース６内の植物６ａがトイレブース４内で生じた尿に由来する栄養素によって育成されている。【選択図】図２
2005113666.tif 000002
【特許請求の範囲】
【請求項１】
人が屎尿を排泄するためのトイレブースと、植物が栽培されている植物ブースとが同一の建築物内に形成され、該植物ブース内の該植物が該トイレブース内で生じた該屎尿の少なくとも一方に由来する栄養素によって育成されていることを特徴とするユニットトイレ。
【請求項２】
前記トイレブースで排泄された前記尿のみを回収する尿回収装置と、該尿回収装置によって回収された該尿に由来する成分を含む培養水を前記植物ブース内の前記植物に供給する供給装置とを備えていることを特徴とする請求項１記載のユニットトイレ。
【請求項３】
前記尿回収装置と前記供給装置との間には、前記植物にとって有害な成分又は過剰な成分を前記尿から除去する第１除去装置を備えていることを特徴とする請求項２記載のユニットトイレ。
【請求項４】
前記第１除去装置は、塩分を前記尿から除去する塩分除去装置を有することを特徴とする請求項３記載のユニットトイレ。
【請求項５】
前記第１除去装置は、窒素分を前記尿から除去する窒素分除去装置、リン分を該尿から除去するリン分除去装置及びカリウム分を該尿から除去するカリウム分除去装置の少なくとも一つを有することを特徴とする請求項３又は４記載のユニットトイレ。
【請求項６】
前記尿回収装置と前記供給装置との間には、前記植物の育成に有効な成分を前記培養水に添加する添加装置を備えていることを特徴とする請求項２乃至５のいずれか１項記載のユニットトイレ。
【請求項７】
前記窒素分除去装置によって前記尿から分離された窒素分、前記リン分除去装置によって前記尿から分離されたリン分、前記カリウム分除去装置によって前記尿から分離されたカリウム分の少なくとも一つが前記添加装置によって前記培養水に添加されることを特徴とする請求項６記載のユニットトイレ。
【請求項８】
前記添加装置は、前記トイレブース及び／又は前記植物ブースの下方に位置していることを特徴とする請求項６又は７記載のユニットトイレ。
【請求項９】
前記植物へ供給後の前記培養水中の不要な成分を除去する第２除去装置を備え、前記トイレブースは洗浄水によって洗浄可能な便器を有し、該第２除去装置を経た該培養水が該洗浄水として利用されることを特徴とする請求項２乃至８のいずれか１項記載のユニットトイレ。
【請求項１０】
前記第２除去装置は、前記トイレブース及び／又は前記植物ブースの下方に位置していることを特徴とする請求項９記載のユニットトイレ。
【請求項１１】
前記植物は水耕栽培されていることを特徴とする請求項１乃至１０のいずれか１項記載のユニットトイレ。
【発明の詳細な説明】
【技術分野】
【０００１】
本発明はユニットトイレに関する。
【背景技術】
【０００２】
一般的に人はトイレブース内で屎尿を排泄する。下水道が整備されている地域においては、その屎尿は一般的な生活排水とともに下水処理場で処理され、処理された屎尿は河川、湖沼、海等に放流される。また、下水道が整備されていない地域においては、その屎尿は、浄化槽等の個々の処理装置で処理された後、又は直接的に河川等に放流される。
【０００３】
しかし、このように人の屎尿を最終的に河川等に放流する場合、河川等の汚染を防止するためには下水処理場等で十分な処理が行われなければならず、処理コストが嵩んでしまう。
【０００４】
このため、特許文献１においては、公衆トイレで生じた屎尿を適度に肥料成分を含んだ灌漑水とし、その灌漑水をその公衆トイレ周囲の植物に供給してその植物を育成する技術が開示されている。また、特許文献２においては、屎尿を完全に分解して液肥化し、その液肥を周囲の植物に供給してその植物を育成する技術が開示されている。これらの技術によれば、屎尿は比較的緩い条件で処理されるため、これにより処理コストの低廉化を実現することができる。また、これらの技術によれば、植物の育成に有効な成分の供給に屎尿を利用することが可能であるとともに、屎尿中の水分を水資源として有効活用することも可能である。
【０００５】
【特許文献１】特開２００２−３５５６８６号公報
【特許文献２】特開２００２−１６０９８８号公報
【発明の開示】
【発明が解決しようとする課題】
【０００６】
しかしながら、上記従来の技術では、屎尿によって育成される植物が公衆トイレ等のトイレブースの周囲において、外気に剥き出しにされている。このため、自然環境を考慮してその植物を育成しなければならないことから、屎尿に基づく植物の育成に有効な成分をどの程度その植物に供給すべきか等の育成条件がばらつき、植物を安定して育成し難い。この点、植物を建築物内で育成することも考えられるが、その建築物がトイレブースとは異なる建築物であれば、総合的な建築コストの高騰化が生じてしまう。
【０００７】
本発明は、上記従来の実情に鑑みてなされたものであって、屎尿の有効利用を安価に実現するとともに、植物を安定して育成することを解決すべき課題としている。
【課題を解決するための手段】
【０００８】
本発明のユニットトイレは、人が屎尿を排泄するためのトイレブースと、植物が栽培されている植物ブースとが同一の建築物内に形成され、該植物ブース内の該植物が該トイレブース内で生じた該屎尿の少なくとも一方に由来する栄養素によって育成されていることを特徴とする。
【０００９】
本発明のユニットトイレでは、トイレブース内で生じた屎尿の少なくとも一方に由来する栄養素を植物ブース内の植物に供給することから、屎尿を容易に有効利用することが可能である。その際、植物ブースが建築物内に形成されていることから、屎尿に基づく植物の育成に有効な成分をどの程度その植物に供給すべきか等の育成条件が自然環境による程ばらつくことはなく、植物を安定して育成し易い。これにより人にとって健康的な有機農業が促進される。
【００１０】
また、本発明のユニットトイレでは、トイレブースと植物ブースとが同一の建築物内に形成されているため、総合的な建築コストの低廉化を実現できる。
【００１１】
したがって、本発明のユニットトイレでは、屎尿の有効利用を安価に実現できるとともに、植物を安定して育成することができる。
【００１２】
本発明のユニットトイレは、トイレブースで排泄された尿のみを回収する尿回収装置と、この尿回収装置によって回収された尿に由来する成分を含む培養水を植物ブース内の植物に供給する供給装置とを備えていることが好ましい。
【００１３】
尿は屎よりも水分が多く、水資源としての活用の効果が大きい。また、屎尿の屎と尿とは、表１に示すように、植物の育成に有効な成分の含有率の点で価値が異なることが知られている（松井  三郎「エコロジカル・サニテーションを支持する科学と技術」第３回世界水フォーラムセッション  トイレ・水循環国際シンポジウム  資料集、２００３年、６９〜７０頁）。すなわち、尿には、肥料の三大元素である窒素（Ｎ）、リン（Ｐ）及びカリウム（Ｋ）が多く存在するうえ、無菌である。他方、屎には、窒素、リン及びカリウムが存在するものの、その量は尿に比べて少なく、さらに病原菌が存在する確率が高い。
【００１４】
【表１】
2005113666.tif 000003
【００１５】
このため、屎尿のうちの尿のみを尿回収装置によって回収し、その尿に由来する成分を含ませた培養水を供給装置によって植物ブース内の植物に供給すれば、植物を好適に育成することができる。なお、屎が病原菌を含む場合、その病原菌を死滅させることにより、屎を有機資材として活用することが可能である。屎尿を屎と尿とで分離して回収する装置は公知である。
【００１６】
尿回収装置と供給装置との間には、植物にとって有害な成分又は過剰な成分を尿から除去する第１除去装置を備えていることが好ましい。有害成分としては、Ｎａ+、重金属類等が挙げられる。また、本発明のユニットトイレは、植物が閉鎖系又はほぼ閉鎖系で存在することから、トイレブースで生じる尿の量が多い場合には、尿が含有する植物の育成に有効な成分のうち、過剰な分は過剰成分となる。このため、尿回収装置と供給装置との間にそのような有害成分や過剰成分を尿から除去する第１除去装置を備えておれば、より一層植物を好適に育成することができる。
【００１７】
第１除去装置としては、微生物を用いてＮＨ2をＮＨ3やＮＯ3まで分解する浄化槽、ＭｇＣｌ等のマグネシウム源によってＮ、Ｐを沈殿除去するＭＡＰ法を用いる装置、ＣａＣｌ2、Ｃａ（ＯＨ）2等のカルシウム源によってＰを沈殿除去するＨＡＰ法を用いる装置、Ｎａ+やＣｌ-を除去するイオン交換樹脂等を採用することができる。
【００１８】
特に、第１除去装置は尿から塩分を除去する塩分除去装置を有していることが好ましい。本発明者らが確認したところ、尿には、表２に示すように、１８００ｍｇ／ＬのＮａ+と、４３００ｍｇ／ＬのＣｌ-とが含まれている。これらが全てイオン結合した場合、表３に示すように、尿には６１００ｍｇ／ＬのＮａＣｌすなわち塩分が含まれていることとなる。なお、同表３に示すように、一般的な海水には２３５００ｍｇ／ＬのＮａＣｌが含まれていることから、尿には海水のほぼ４分の１程度の塩分が含まれていると言うことができる。この塩分は植物ブース内の植物にとって有害となる傾向が強い。このため、第１除去装置が、有害成分となった塩分を尿から除去する塩分除去装置を備えておれば、より一層植物を好適に育成することができる。
【００１９】
【表２】
2005113666.tif 000004
【００２０】
【表３】
2005113666.tif 000005
【００２１】
塩分除去装置としては、尿をイオン交換膜に通して尿から塩分を除去する装置、尿を蒸発させた後に液化して純水化する装置等を採用することができる。特に、尿を蒸発させた後に液化しようとする場合、尿に太陽光をあてることにより蒸気とし、この蒸気を日陰で液化して蒸留水として回収する装置等を採用することが好ましい。これにより、尿を蒸発させたり液化したりするためのエネルギーを自然から得ることができ、屎尿の有効利用をより安価に実現することができる。
【００２２】
さらに、第１除去装置は、尿から窒素分を除去する窒素分除去装置、尿からリン分を除去するリン分除去装置及び尿からカリウム分を除去するカリウム分除去装置の少なくとも一つを有していることが好ましい。
【００２３】
表１に示すように、尿には、肥料の三大元素である窒素、リン及びカリウムが多く存在する。一方、本発明のユニットトイレは、植物が閉鎖系又はほぼ閉鎖系で存在することから、トイレブースで生じる尿の量が多い場合には、尿が含有するこれらの成分のうち過剰な分は過剰成分となる。このため、第１除去装置が窒素分除去装置、リン分除去装置及びカリウム分除去装置の少なくとも一つを有しておれば、これらの装置によって植物に過剰にリン等の成分を供給しないようにできるため、より一層植物を好適に育成することができる。
【００２４】
尿回収装置と供給装置との間には、植物の育成に有効な成分を培養水に添加する添加装置を備えていることが好ましい。尿には、窒素、リン及びカリウムが存在するのであるが、尿だけではこれら窒素、リン又はカリウムが不足したり、その他の有効成分であるＣａ、Ｍｇが不足したりする場合もある。このため、尿回収装置と供給装置との間にそのような植物の育成に有効な成分を培養水に添加する添加装置を備えておれば、より一層植物を好適に育成することができる。
【００２５】
また、塩分除去装置として尿を蒸留する装置を採用した場合には、尿から窒素、リン及びカリウムも塩分とともに除去されてしまう。このため、塩分除去装置により塩分が除去される前に、これらの成分を予め窒素分除去装置、リン分除去装置及びカリウム分除去装置の少なくとも一つにより回収し、塩分が除去された後、適量のこれら又は一成分を添加装置により蒸留水に添加して植物に供給することが好ましい。こうであれば、これらの成分を効率よく利用することができるとともに、より一層植物を好適に育成することができる。なお、この場合、窒素分除去装置、リン分除去装置及びカリウム分除去装置の少なくとも一つは、塩分除去装置と添加装置の間に位置することが望ましい。
【００２６】
トイレブースが洗浄水によって洗浄可能な便器を備えている場合、植物へ供給後の培養水中の植物に利用されなかった不要な成分をろ過及び／又は吸着する第２除去装置を備え、第２除去装置を経た培養水が洗浄水として利用されることが好ましい。
【００２７】
培養水は植物に供給されることにより浄化され、便器の洗浄水と供され得る。この際、土耕栽培を採用している場合には、培養水はその土によっても浄化される。この技術としては特開２０００−３０１１９２号公報、特開２００１−６２４７３号公報等が知られている。しかし、土を経た後でも、培養水は種々の成分を含有している。その培養水が洗浄水にとって不要な成分を含有している場合、第２除去装置によってその不要な成分をろ過及び／又は吸着することにより、その培養水を洗浄水としてより好適に再利用することが可能となる。
【００２８】
本発明のユニットトイレは、トイレブース及び植物ブースの下方に添加装置が位置していることが好ましい。また、本発明のユニットトイレは、トイレブース及び植物ブースの下方に第２除去装置が位置していることが好ましい。その他、尿回収装置、第１除去装置等もトイレブース及び植物ブースの下方に位置していることができる。これらによって培養水等が自重によって移動することによりユニットトイレの構造が簡易になるとともに、スペースを有効活用することが可能になり、製造コストの低廉化を実現できる。
【００２９】
本発明のユニットトイレでは、植物は水耕栽培されていることが好ましい。水耕栽培に適している植物として、ユリオプス・デージー、イタリアン・ライグラス、オオムギ、ケナフ、ソルガム、パピルス、ホテイアオイ、ミント、ボタンウキクサ、ミディートマト、パックブン、インパチェンス、フサモ、ハトムギ、オオカナダモ、ヨシ、ガマ、イグサ、ヒメガマ、ヒシ、コカナダモ、ウォルヒア、ウキクサ、アリッサム等を採用することができる。これらの植物の窒素吸収速度（ｇ／ｍ2／日）を表４に示し、リン吸収速度（ｇ／ｍ2／日）を表５に示す。
【００３０】
【表４】
2005113666.tif 000006
【００３１】
【表５】
2005113666.tif 000007
【００３２】
表６にこれらの植物の増殖速度の順位を示す。表６に上位に示される植物を採用することが水質浄化の点で好ましい。
【００３３】
【表６】
2005113666.tif 000008
【発明を実施するための最良の形態】
【００３４】
以下、本発明を具体化した実施例１、２を図面を参照しつつ説明する。
【実施例１】
【００３５】
実施例１のユニットトイレでは、図１に示すように、屋外に長方形形状の床部材１が設けられており、この床部材１上に複数本の支柱２が立てられ、全支柱２に接続された梁及び／又は桁により屋根用の垂木３が支えられている。床部材１上は長手方向に手前からトイレブース４、エントランスブース５及び植物ブース６に区画されている。
【００３６】
トイレブース４を区画する支柱２には、トイレブース４の側面を四方で囲う不透明な図示しないパネルが固定されている。トイレブース４内には床部材１の短辺方向に２個の個室が整列して形成されており、各個室内には、床部材１の短辺側のパネルを背面として洋風屎尿分離便器４ａ、４ｂが設けられている。また、トイレブース４には、床部材１の短辺側のパネルを背面とする節水式又は無水式の小便器４ｃが洋風屎尿分離便器４ａ、４ｂと整列して設けられている。さらに、トイレブース４内には２個の手洗器４ｄ、４ｅも設けられている。
【００３７】
これら洋風屎尿分離便器４ａ、４ｂ及び小便器４ｃには、図２にも示すように、洗浄水をこれらに供給可能な給水管７が接続されているとともに、洗浄後の汚水をこれらから排出する排水管８が接続されている（図２では、手洗器４ｄ、４ｅの図示を省略している。）。
【００３８】
図１に示すように、トイレブース４の上方の垂木３には図示しない屋根部材が形成されており、その屋根部材には図示しない太陽電池パネルが設けられている。この太陽電池パネルから供給される電力によって後述する圧送ポンプ１３、１５、１７及びプロペラ１０ａ等が駆動されるようになっている。
【００３９】
図２に示すように、排水管８は、洋風屎尿分離便器４ａ、４ｂで排泄された屎尿のうちの屎のみを単体で又は洗浄水とともに排出する第１排水管８ａと、洋風屎尿分離便器４ａ、４ｂで排泄された屎尿のうちの尿のみを洗浄水とともに排出する第２排水管８ｂと、小便器４ｃで排泄された尿のみを又は尿と洗浄水とを排出する第３排水管８ｃと、手洗器４ｄ、４ｅを経た汚水を排出する図示しない第４排水管とからなる。トイレブース４の下方には、第１排水管８ａから排出される屎を貯溜する屎回収装置９が設けられている。
【００４０】
図１に示すように、エントランスブース５を区画する支柱２には、エントランスブース５の奥側側面を覆う不透明な図示しないパネルが固定されている。エントランスブース５の下方には、図２に示すように、第２排水管８ｂ、第３排水管８ｃ及び第４排水管から排出される汚水を微生物とともに貯溜する尿浄化槽１０と、植物を育成する上で不足しやすいＣａ、Ｍｇ等の有効成分を貯溜している貯溜槽１１とが設けられている。
【００４１】
第２排水管８ｂ及び第３排水管８ｃが尿回収装置であり、尿浄化槽１０が第１除去装置である。貯溜槽１１と尿浄化槽１０とは配管１２により接続されており、配管１２には貯溜槽１１内のＣａ、Ｍｇ等の有効成分を尿浄化槽１０に一定量添加可能な圧送ポンプ１３が設けられている。貯溜槽１１、配管１２及び圧送ポンプ１３が添加装置である。尿浄化槽１０には、内部の汚水を攪拌するためのプロペラ１０ａと、配管１４とが設けられている。プロペラ１０ａには図示しないモータが設けられている。配管１４には尿浄化槽１０内の汚水を取り出すための圧送ポンプ１５が設けられている。配管１４及び圧送ポンプ１５が供給装置である。図１に示すように、エントランスブース５の上方の垂木３には透明なポリカーボネートからなる図示しない屋根部材が形成されている。
【００４２】
植物ブース６を区画する支柱２には、植物ブース６の側面を四方で囲う透明なポリカーボネートからなる図示しないパネルが固定されている。植物ブース６内には上下方向及び水平方向に整列して複数のプランター６ａが設けられている。各プランター６ａには植物６ｂが水耕栽培されている。植物ブース６の下方には、図２に示すように、内部にろ材及び吸着材をもつ第２除去装置１６が設けられている。尿浄化槽１０と接続された配管１４は最上段の各プランター６ａに開放されており、尿浄化槽１０内の培養水が最上段の各プランター６ａに供給されるようになっている。最上段の各プランター６ａを経た培養水は順次下段の各プランター６ａに供給され、最下段の各プランター６ａを経た培養水が第２除去装置１６に回収されるようになっている。第２除去装置１６にはトイレブース４まで延びる給水管７が接続されており、給水管７には第２除去装置１６で異物をろ過及び吸着させた洗浄水を取り出すための圧送ポンプ１７が設けられている。図１に示すように、植物ブース６の上方の垂木３にも透明なポリカーボネートからなる図示しない屋根部材が設けられている。
【００４３】
以上のように構成されたユニットトイレでは、トイレブース４、エントランスブース５及び植物ブース６が同一の建築物内に形成されている。そして、トイレブース４内において、人が排泄を行うと、屎は第１排水管８ａによって洗浄水とともに自重により排出されて屎回収装置９に回収され、尿は第２、３排水管８ｂ、８ｃによって洗浄水とともに自重により排出されて尿浄化槽１０に回収される。なお、屎回収装置９に回収された屎は一定期間毎に取り出され、有機資材として活用される。
【００４４】
尿浄化槽１０では、屎尿のうち尿のみを含む汚水が微生物とともに貯溜され、プロペラ１０ａによって攪拌されていることから、尿中の尿素が分解される。なお、トイレブース４で生じる尿の量が多い場合には、尿浄化槽１０において、尿が含有する窒素及びリンの一部をＭＡＰ法やＨＡＰ法等により晶出させるようにすることも可能である。これは、汚水から植物の育成にとって過剰な成分を除去するために有効である。また、汚水中に窒素、リン及びカリウムの少なくとも１種が不足している場合には、これらの不足分が貯溜槽１１、配管１２及び圧送ポンプ１３により添加される。こうして尿浄化槽１０内の汚水が培養水となる。
【００４５】
尿浄化槽１０内の培養水は、配管１４及び圧送ポンプ１５により最上段の各プランター６ａに供給される。そして、最上段の各プランター６ａを経た培養水は順次下段の各プランター６ａに供給され、最下段の各プランター６ａを経た培養水は第２除去装置１６に回収される。植物ブース６は透明なポリカーボネートからなるパネルによって囲まれているため、植物ブース６内の植物６ａは太陽光によって光合成を行うことができる。
【００４６】
こうして、このユニットトイレでは、トイレブース４内で生じた尿に由来する栄養素を培養水に含ませて植物ブース６内の植物６ａに供給することから、尿を容易に有効利用することが可能である。その際、植物ブース６が建築物内に形成されていることから、尿に基づく植物の育成に有効な成分をどの程度その植物６ａに供給すべきか等の育成条件が自然環境よる程ばらつくことはなく、植物６ａを安定して育成し易い。これにより人にとって健康的な有機農業が推進される。
【００４７】
さらに、このユニットトイレでは、トイレブース４と植物ブース６とが同一の建築物内に形成されているため、総合的な建築コストの低廉化を実現できる。特に、このユニットトイレでは、トイレブース４、エントランスブース５及び植物ブース６の下方に屎回収装置９、尿浄化槽１０、貯溜槽１１及び第２除去装置１６が位置しているため、培養水等が自重によって移動することにより構造が簡易になっているとともに、スペースを有効活用している。このため、製造コストの低廉化の効果が大きい。
【００４８】
そして、最下段の各プランター６ａを経た培養水は第２除去装置１６に自重により回収される。培養水は植物６ａに供給されることによっても浄化される。第２除去装置１６に回収された培養水は、そこで先浄水としては不要な成分をろ過及び吸着され、給水管７及び圧送ポンプ１７によってトイレブース４まで搬送される。そして、洋風屎尿分離便器４ａ、４ｂ及び小便器４ｃの洗浄に使用される。こうして、培養水を洗浄水としてより好適に再利用することが可能となる。
【００４９】
発明者らは、このユニットトイレの使用状況を以下のようにシミュレートした。このユニットトイレを１日に１００人が使用し、０．１ｋｇ（含水率８０％）の屎を１０回、０．２Ｌの尿を９０回したと仮定した場合、屎回収装置９には毎日屎が１ｋｇ（固形分が０．２ｋｇ、水分が０．８Ｌ）貯溜される。このため、屎回収装置９では、毎日０．８Ｌずつ水分が蒸発するようにしても、毎日０．２ｋｇずつ固形分が溜まり、１００日間で２０ｋｇ溜まることとなる。この状態で屎回収装置９から固形分を排出することが好ましいことがわかる。なお、この際、灰を固形分に混ぜることにより、屎をアルカリ化してコンポスト化し、肥料として利用することも可能である。一方、尿浄化槽１０には毎日尿が１８Ｌ回収される。このため、尿浄化槽１０に１日に貯溜される汚水中には、尿中にリンが１ｇ／Ｌ、窒素が１１ｇ／Ｌ含有されていると仮定した場合、リンが１８ｇ、窒素が１９８ｇ含まれていることとなる。
【００５０】
そして、植物６ａとして、リンの吸収速度が０．１ｇ／ｍ2／日、窒素の吸収速度が０．４４ｇ／ｍ2／日のコマツナを採用した場合、リンに基づけば１日に１８０ｍ2のコマツナを育成でき、窒素に基づけば１日に４５０ｍ2のコマツナを育成できることがわかる。
【００５１】
また、植物６ａとして、リンの吸収速度が０．５５ｇ／ｍ2／日、窒素の吸収速度が０．５１ｇ／ｍ2／日のパックブンを採用した場合、リンに基づけば１日に３２ｍ2のパックブンを育成でき、窒素に基づけば１日に３８８ｍ2のパックブンを育成ることがわかる。
【００５２】
したがって、このユニットトイレでは、屎尿の有効利用を安価に実現できるとともに、植物６ａを安定して育成できることがわかる。
【実施例２】
【００５３】
実施例２のユニットトイレでは、図３に示すように、尿浄化槽１０と貯溜槽１１との間に窒素分除去装置、リン分除去装置及びカリウム分除去装置が一体となった除去装置１８が接続されている。この除去装置１８はポンプ２０をもつ配管１９にも接続されている。
【００５４】
エントランスブース５の屋上には、図３に示すように、エントランスブース５の屋根部材の一部又は全部を兼ねる塩分除去装置２１が設けられている。この塩分除去装置２１は、図４に示すように、南側に位置するように設けられたポリカーボネートからなる外板２１ａと、この外板２１ａと接続されて北側に位置するように設けられた断熱効果の大きい外板２１ｂと、外板２１ａの下方に設けられた黒色の内板２１ｃと、外板２１ｂの下方に設けられた内板２１ｄとを有している。外板２１ａ、２１ｂと内板２１ｃ、２１ｄとの間には、密閉されたへの字型の空間２２が形成されている。内板２１ｃの表面には凹凸２１ｅが形成されている。
【００５５】
配管１９は、この空間２２内において、外板２１ａ及び内板２１ｃの間の上端に水平に延在している。この位置の配管１９には図示しない複数の貫通孔が形成されている。
【００５６】
外板２１ａ及び内板２１ｃの下端には汚水を貯め得る貯溜部２３が形成され、外板２１ｂ及び内板２１ｄの下端には蒸留水を貯め得る貯溜部２４が形成されている。貯溜部２４には、貯溜槽１１と接続された配管１２と、植物ブース６に延びる配管１４とが接続されている。他の構成は実施例１と同様である。
【００５７】
上記のように構成されたユニットトイレでは、尿浄化槽１０内に回収された尿が除去装置１８によって窒素、リン及びカリウムと、残余の汚水とに分離される。窒素等は貯溜槽１１に供給され、汚水は配管１９及びポンプ２０によって塩分除去装置２１に供給される。
【００５８】
配管１９内の汚水は、各貫通孔から外板２１ａ及び内板２１ｃの間の空間２２に落下する。ここに落下した汚水は貯溜部２３に向かって内板２１ｃを伝わることとなる。内板２１ｃの表面には凹凸２１ｅが形成されているため、この間、汚水は除々にしか貯溜部２３に到達しない。一方、外板２１ａは、透明であり、かつ日射の多い南側に位置しているため、太陽光Ｓにより内板２１ｃ上の汚水が加熱されて蒸気になる。この蒸気は空間２２の北側にも移動する。北側の外板２１ｂは断熱効果を有するものであるため、蒸気はここで結露する。こうして、汚水から塩分が除去され、蒸留水が内板２１ｄを伝わって貯溜部２４に貯溜される。
【００５９】
貯溜部２４内の蒸留水には、配管１２によって貯溜槽１１内の窒素、リン又はカリウムが供給される。こうして蒸留水に窒素等が添加されて培養水となり、この培養水が配管１４によって植物６ｂに供給される。
【００６０】
なお、蒸気にならなかった汚水は、内板２１ｃを伝わって貯留部２３に貯留され、図示しない配管によって尿浄化槽１０に回収される。また、凹凸２１ｅに蓄積した塩類は、定期的に除去される。
【００６１】
こうして、このユニットトイレでは、塩分除去装置２１により塩分を除去される前に、窒素分等を予め除去装置１８により回収することができる。そして、塩分が除去された後の蒸留水に適量の窒素分等を添加して植物に供給することができる。このため、尿中の窒素分等を効率よく利用することができるとともに、より一層植物を好適に育成することができる。
【００６２】
また、このユニットトイレによれば、尿を蒸発させたり液化したりするためのエネルギーを自然から得ることができ、屎尿の有効利用をより安価に実現することができる。他の作用効果は実施例１と同様である。
【産業上の利用可能性】
【００６３】
本発明のユニットトイレは公衆トイレ等に利用可能である。
【図面の簡単な説明】
【００６４】
【図１】実施例１に係るユニットトイレを透視して示す全体斜視図である。
【図２】実施例１に係るユニットトイレの模式断面図である。
【図３】実施例２に係るユニットトイレの模式断面図である。
【図４】実施例２に係るユニットトイレの塩分除去装置の模式断面図である。
【符号の説明】
【００６５】
４…トイレブース
６ａ…植物
６…植物ブース
８ｂ、８ｃ…尿回収装置（８ｂ…第２排水管、８ｃ…第３排水管）
１４、１５…供給装置（１４…配管、１５…圧送ポンプ）
１０…第１除去装置（尿浄化槽）
２１…塩分除去装置
１８…除去装置（窒素分除去装置、リン分除去装置、カリウム分除去装置）
１１、１２、１３…添加装置（１１…貯溜槽、１２…配管、１３…圧送ポンプ）
４ａ、４ｂ、４ｃ…便器（４ａ、４ｂ…洋風屎尿分離便器、４ｃ…小便器）
１６…第２除去装置
【図１】
2005113666.tif 000009
【図２】
2005113666.tif 000010
【図３】
2005113666.tif 000011
【図４】
2005113666.tif 000012